(57)【要約】  商品（１）を保護する保護されるべき権利への参照（３０）を商品（１）に表示するための方法を開示する。この方法では、ＲＦＩＤ部品（１０）が商品（１）と関連付けられており、ＲＦＩＤ部品（１０）がデータを保有し、そのデータにもとづき、少なくとも一つの保護されるべき権利の表示（３０）を求めることができる。電気通信網を介して、リモートサーバー（７）から保護されるべき権利の表示（３０）をダウンロードすることができる。また、この発明は、当該の商品（１）に対応する保護されるべき権利の表示（３０）を保存している少なくとも一つのサーバー（７）を有するシステム、当該の商品（１）に対応する一つ以上の保護されるべき権利の表示（３０）を保存しているデータベースシステム、及び一つ以上の保護されるべき権利の表示（３０）を当該のコードの中の少なくとも一部と関連付けるデータベースシステムに関する。
2007535051.tif 000002
【特許請求の範囲】
【請求項１】
ＲＦＩＤ部品（１０）が商品（１）と関連付けられており、ＲＦＩＤ部品（１０）がデータを保有し、そのデータにもとづき、利用者の移動体機器（３）と接続されたＲＦＩＤリーダー機器（２）を用いて、当該の商品（１）と関連した少なくとも一つの保護されるべき権利の表示（３０）を求めることができ、保護されるべき権利の表示（３０）の少なくとも一部が当該のＲＦＩＤ部品（１０）内に保存されているか、或いは当該のデータがコードを保有しており、そのコードにもとづき、電気通信網内のサーバー（７）から当該の保護されるべき権利の表示（３０）を求める工程と、
その次に、移動体機器（３）が、求めた保護されるべき権利の表示（３０）を利用者に再生する工程と、
を有する、商品（１）を保護する保護されるべき権利への参照（３０）を提示するための方法。
【請求項２】
当該のコードを、複数の電子的なコードと当該の電気通信網内の複数の電子的なページアドレス間のリンクを登録しているネームサービスサーバー（６）に伝送して、
当該のコードに対応するアドレスに保存されているページから、当該の保護されるべき権利の表示（３０）をダウンロードする、
請求項１に記載の方法。
【請求項３】
ＲＦＩＤリーダー機器（２）が、移動体機器（３）と接続されているか、或いは移動体機器（３）の一部として構成されており、
当該の移動体機器（３）が、離れた所に有る電気通信網と接続されており、
ＲＦＩＤリーダー機器（２）を用いて、ＲＦＩＤ部品（１０）内の当該のデータを読み出して、
当該の保護されるべき権利の表示（３０）を、当該の離れた所に有る電気通信網からダウンロードする請求項１又は２に記載の方法。
【請求項４】
当該の移動体機器（３）によって、当該の保護されるべき権利の表示（３０）を視覚的及び／又は音響的に再生する請求項１から３までのいずれか一つに記載の方法。
【請求項５】
当該の保護されるべき権利の表示（３０）をデータメッセージとして移動体機器（３）に伝送して、移動体機器（３）のディスプレイ上に表示する請求項１から４までのいずれか一つに記載の方法。
【請求項６】
当該の保護されるべき権利の表示（３０）をＷＥＢ及び／又はＷＡＰページとして伝送して、移動体機器（３）によって、ＷＥＢ及び／又はＷＡＰブラウザーを用いて相応に再生する請求項１から５までのいずれか一つに記載の方法。
【請求項７】
当該の保護されるべき権利の表示（３０）が、移動体機器（３）で声により再生される請求項１から６までのいずれか一つに記載の方法。
【請求項８】
当該の保護されるべき権利の表示（３０）が、
一つ以上の特許、特許出願又は実用新案への参照、
一つ以上の商標への参照、
一つ以上の意匠の各装飾的意匠への参照、
一つ以上の保護された半導体回路配置への参照、
の中の一つ以上の当該の保護されるべき権利への参照に関する請求項１から７までのいずれか一つに記載の方法。
【請求項９】
当該の保護されるべき権利の表示（３０）が、少なくとも一つの著作権保護への参照を含む請求項１から８までのいずれか一つに記載の方法。
【請求項１０】
当該の保護されるべき権利の表示（３０）が、商品（１）の製造業者の一般取引条件を含む請求項１から９までのいずれか一つに記載の方法。
【請求項１１】
当該の保護されるべき権利の表示（３０）が、商品（１）に適用される複数の保護されるべき権利への参照のリストを含み、
当該のリストから特定の保護されるべき権利を選択した場合に、その特定の保護されるべき権利に関する更なる情報が表示される請求項１から１０までのいずれか一つに記載の方法。
【請求項１２】
当該の保護されるべき権利の表記が画像形式で表示される請求項１１に記載の方法。
【請求項１３】
当該の保護されるべき権利の表記の要旨が表示される請求項１１又は１２に記載の方法。
【請求項１４】
保護されるべき権利の法的状況が表示される請求項１１から１３までのいずれか一つに記載の方法。
【請求項１５】
当該のリストから特定の保護されるべき権利が選択された場合に、そのＷＥＢページを、複数の保護されるべき権利を保有するデータベース（７１）から動的に生成する請求項１１から１４までのいずれか一つに記載の方法。
【請求項１６】
保護されるべき権利の表示（３０）が位置に依存する請求項１から１５までのいずれか一つに記載の方法。
【請求項１７】
所定の利用者のプロフィルに応じて、当該の保護されるべき権利の表示（３０）を調整する請求項１から１６までのいずれか一つに記載の方法。
【請求項１８】
当該のコードが、個々の商品（１）の各々を個別に指定しており、
各商品（１）に合わせて当該の保護されるべき権利の表示（３０）を個別に調整する請求項１から１７までのいずれか一つに記載の方法。
【請求項１９】
当該の保護されるべき権利の表示（３０）が、当該の個々の商品（１）に関して取得された、或いは取得予定のライセンスの表示を含む請求項１８に記載の方法。
【請求項２０】
当該の表示が、商品、利用者及び／又は位置に依存する請求項１９に記載の方法。
【請求項２１】
利用者が、当該の移動体機器（３）を用いて、当該の保護されるべき権利の中の少なくとも一つに関するライセンスを取得する請求項１から２０までのいずれか一つに記載の方法。
【請求項２２】
当該の商品（１）は、使用が停止されており、当該の保護されるべき権利の表示（３０）を決定した場合に使用の停止が解除される請求項１から２１までのいずれか一つに記載の方法。
【請求項２３】
ライセンス状態に変更が生じた後に、当該のＲＦＩＤ部品（１０）のデータを書き換える請求項２１に記載の方法。
【請求項２４】
ライセンス状態に変更が生じた後に、そのデータを当該の電気通信網（４）内のサーバー（５，７）に伝送する請求項２１に記載の方法。
【請求項２５】
当該のサーバー（５）は、電気通信網のインフラストラクチャ内に配置されており、
当該のネームサービスサーバー（６）は、電気通信網のインフラストラクチャ外に配置されており、複数の網運用業者からアクセス可能である請求項２から２６までのいずれか一つに記載の方法。
【請求項２６】
コードを中に保存しているＲＦＩＤ部品（１０）を備えた複数の商品（１）と、
当該のコードから導き出すことができるアドレスに、保護されるべき権利への参照（３０）が保存されており、当該の商品（１）に対応する保護されるべき権利の表示（３０）を保存している少なくとも一つのサーバー（７）と、
を特徴とするシステム。
【請求項２７】
複数の電子的なコードと複数の電子的なページアドレス間のリンクを登録しているネームサービスサーバー（６）を有する請求項２６に記載のシステム。
【請求項２８】
それぞれ移動体機器（３）と接続されているか、或いは移動体機器（３）の一部として構成されている複数のＲＦＩＤリーダー機器（２）を有する請求項２６又は２７に記載のシステム。
【請求項２９】
ＲＦＩＤ部品（１０）の位置を求めて、当該の参照を当該の位置に適合させるための位置決定手段を有する請求項２６又は２８に記載のシステム。
【請求項３０】
商品（１）を一義的に指定する複数のコードと、
少なくとも一定の当該のコードと関連付けられた一つ以上の保護されるべき権利の表示（３０）と、
電気通信網からの問合せ（５１）を受信して、それらの問合せ（５１）に対して、対応する保護されるべき権利の表示（３０）で応答するためのインタフェースと、
を特徴とするデータベースシステム（７１）。
【発明の詳細な説明】
【技術分野】
【０００１】
この発明は、商品を保護する保護されるべき権利への参照を商品に付与することを可能とする方法及びシステムに関する。
【背景技術】
【０００２】
大抵の知的所有権に関しては、保護されるべき権利に関する参照を付与することが可能である。商標に関しては、
【０００３】
【数１】
2007535051.tif 000003
【０００４】
及びTMの表示が確立されている。特許権に関しては、特許を出願している、或いは許可された国に依って、スイスでは、スイス国の十字記号及び特許番号と共に「特許申請中」、「特許ＥＰＸＸＸ’ＸＸＸ号」などの表示を商品に付けることが可能である。
【０００５】
この参照の理由は、特に、商品が一つ以上の保護されるべき権利によって保護されているという事実に第三者の注意を引くことである。更に、そのような参照は、幾つかの国では、保護されるべき権利の所有者が最大限の補償を受けるべきことを主張するための条件となっている。
【０００６】
しかし、多くの国では、間違った表示（例えば、特定の国において存在しない、或いはもはや存在しない保護されるべき権利に関する表示）は、許されないか、或いは罰せられる可能性さえ有る。そのため、商品製造業者は、保護されていない国では、保護されるべき権利の表示を持つ商品を販売しないように特に注意を払わなければならない。このことは、特に、複数のチャネルと流通業者を介して流通される商品の場合には、ほぼ解決不可能な物流上の問題を引き起こす。更に、一つの国において保護されるべき権利の表記の状況が変化した場合、直ちに表示を修正しなければならない。或る国で特許が許可された後では、「特許申請中」との表示は、「特許」と置き換えなければならず、特許が切れた後では、その表示は、もはや許されない。
【０００７】
これらの問題を解決するために、国毎に関係する保護されるべき権利の表記の包括的なリストを商品に付ける商品製造業者も居る。小さい商品（例えば、電子機器や携帯可能な商品）に関しては、詳細な表示のために十分なスペースが利用可能ではない。更に、保護されるべき権利の内訳が変更される毎に、リストを常に更新しなければならない。
【０００８】
ＲＦＩＤ部品を備えているが、保護されるべき権利の表示への参照を与えるものではない文献には、例えば、特許文献１、特許文献２、特許文献３、特許文献４が有る。
【０００９】
特許文献１は、物体上に配備したラベルを読み取ることができるシステムを記載している。第一のモード（オーサリングモード）では、音声データ、テキストメッセージ、グラフィック又はビデオメッセージをそれらのラベルと関連付けることが可能である。第二のモード（プレイバックモード）において、物体と関連付けたメッセージを再生する。このことは、マルチメディア情報の集まりを保存したサーバーを介して実行することが可能である。ラベルと物体間のリンクは、利用者による自由裁量で構成することが可能であり、このシステムでは、信頼性の有る商品表示は不可能である。
【００１０】
特許文献２は、ショッピングを容易にするための方法に関する。商品は、ＲＦＩＤタグを備えており、購入時に読み取られる。それは、ショッピングカードを提供された顧客のニーズに対応したショッピングを可能とするものである。好みの情報を中央ユニットで収集して、広告及び個人用の情報を利用者に時々表示している。
【００１１】
特許文献３は、商品にＲＦＩＤタグを配備したシステムを開示している。ラベルが、一連の纏まった商品の場所情報（パレット、倉庫）を示している。ＲＦＩＤによる個々の商品の表示は、この文献からは得られない。
【特許文献１】米国特許公開第２００３／０１５５４１３号明細書
【特許文献２】米国特許公開第２００２／０１７４０２５号明細書
【特許文献３】国際特許公開第０３／０６７３９６号パンフレット
【特許文献４】米国特許公開第２００２／０１４３６４３号明細書
【発明の開示】
【発明が解決しようとする課題】
【００１２】
この発明の課題は、前述した保護されるべき権利の表記に関する表示の問題を解決するための新しい方法を提案することである。
【課題を解決するための手段】
【００１３】
この課題は、特に、ＲＦＩＤ部品が商品と関連付けられており、ＲＦＩＤ部品がデータを保有し、そのデータにもとづき少なくとも一つの保護されるべき権利の表示を求めることが可能である、商品を保護する保護されるべき権利への参照を商品に付けるための方法によって達成される。
【００１４】
このことは、保護されるべき権利を一つのＲＦＩＤ部品だけでマーキングして、そのＲＦＩＤ部品から詳細な表示を求めることができるという利点を有する。ＲＦＩＤ部品は、小さくするとともに、安価に製造することが可能であり、何れにせよその他の目的、例えば、追跡可能性を保証するために、益々多くの数の商品に付けられている。
【００１５】
一つの実施形態では、ＲＦＩＤ部品は、一つのコードを有し、そのコードにもとづき、離れた所に有る（即ち、構内にはない）電気通信網内のサーバーから保護されるべき権利の表示を求めることができるものである。このことは、表示をＲＦＩＤ部品内ではなく、リモートサーバー内に保存するという利点を有する。サーバーのメモリ空間は、ＲＦＩＤ部品よりも著しく安くかつ高速である。更に、ＲＦＩＤ部品にアクセスすることなく、何時でも表示を編集、更新することができる。
【００１６】
一つの実施形態では、当該のコードは、複数の電子的なコードと複数の電子的なページアドレス間のリンクを登録しているネームサービスサーバーに伝送される。その次に、当該のコードに対応するアドレスに保存されているページから、保護されるべき権利の表示をダウンロードする。このことは、保護されるべき権利の表示が、そのような形で一つのページに保存されているということと、すべてのＲＦＩＤ部品にページアドレスを適用する必要無しに、何時でも変更することができるという利点を有する。
【００１７】
また、このことは、商品に添付するＲＦＩＤ部品の価格又はサイズに影響を与えること無く、表示を如何なる長さにもすることができるという利点を有する。
【００１８】
ページのアドレスは、ＲＦＩＤ部品から読み出したコードに対応する。コードと電子的なページアドレス間の関連付けは、静的ではなく、ネームサービスサーバーに登録されている。このことは、ページアドレスの変更が何時でも可能であり、簡単に追跡することができるという利点を有する。
【発明を実施するための最良の形態】
【００１９】
以下では、図面にもとづき、この発明について詳しく述べる。
【００２０】
図１は、利用者又は移動体利用者が、この発明による方法にもとづき、保護された商品１（この場合、時計）に関する保護されるべき権利の表示３０を受信するために使用するシステムを図示している。移動体機器３（例えば、移動体無線電話機又はセルラー移動体無線網とのインタフェースを備えたＰＤＡ）は、ショートメッセージ（例えば、ＳＭＳやＵＳＳＤ）及びデータ（例えば、ＩＰパケット）を移動体無線網４から受信するとともに、その網に送信することができる。この移動体無線網４は、データも伝送することができる網、例えば、ＧＳＭ、ＧＰＲＳ、ＨＳＣＳＤ、ＥＤＧＥ、ＵＭＴＳ又はＣＤＭＡ網である。この発明による方法は、移動体無線網４の代わりに、固定網、例えば固定有線電話網、電力線網又はケーブルテレビ網を用いて、同様に実施することも可能である。移動体機器３は、その機器を網４を介して識別するための識別モジュール（例えば、ＳＩＭカード３０）を有する。移動体機器３及び／又はＳＩＭカード３０内のプロセッサによって、一つ以上のソフトウェアアプリケーションを実行することができる。
【００２１】
移動体機器３は、更に、ＲＦＩＤリーダー機器２を有するか、或いは（例えば、ＵＳＢ、ファイヤーワイヤー、ＰＣカード、コンパクトフラッシュ(R)、専用又はその他の接続方式、或いはブルートゥースやＷＬＡＮの非接触接続方式により）そのようなリーダー機器と接続される。リーダー機器は、マイクロコントローラと、近傍のＲＦＩＤ部品とデータを交換するための少なくとも一つのアンテナ又はコイルを有する。データの伝送は、好ましくは、１３．５６ＭＨｚ、９００ＭＨｚ、８６０〜９３０ＭＨｚの中の一つ以上の周波数帯域で行われる。リーダー部分は、好ましくは、異なる周波数帯域で、かつ異なるＲＦＩＤにより動作するように選定することができる。ＲＦＩＤを読み出せる動作範囲は、リーダー部分と部品の向きに依存して、好ましくは、２〜１０メートルである。接続は、好ましくは、ＡＳＫ後方散乱変調による半二重モードで行われる。
【００２２】
商品１は、製造時又は個人向け設定時にコードを保存するための消去不能な固定記憶エリアを備えたＲＦＩＤ部品１０を有する。コードは、好ましくは、各特定のＲＦＩＤ部品１０を一義的に識別するものであり、各ＲＦＩＤ部品１０は、好ましくは、別の個別コードを有する。しかし、コードが、商品１の形式だけを示すようにすることも考えられる。好ましくは、コードを偽造することはできない。
【００２３】
コードは、好ましくは、６４、９６又はそれ以上のビットを有し、階層的に構成される。リーダー機器２からの問合せに対するＲＦＩＤ部品１０の返答は、好ましくは、ヘッダー、冗長的な検証データ及びコードを有する。その他のデータは、チップ１０の記憶エリアに保存して、リーダー部分により読み出すことができる。
【００２４】
コードは、好ましくは、共通の認証機関によって、異なる商品製造業者に配布され、コードの一部は、好ましくは、商品１の製造業者の識別子を表す。商品１に保護されるべき権利の表示３０を付けたいと思う製造業者は、共通の認証機関から一連のコードを確保して、それらのコードの一部をＲＦＩＤ部品１０に保存する。
【００２５】
移動体機器３には、リーダー機器２を介して近傍のＲＦＩＤ部品１０内のコードを読み取って、そのコードを移動体無線網４により送信するための少なくとも一つのアプリケーションが配備されている。コードの読み取りは、好ましくは、移動体機器３によって始動され、例えば、移動体機器が、連続的又は周期的に近傍のＲＦＩＤ部品１０を探索して、見い出したＲＦＩＤ部品１０内のコードを読み出すか、処理するか、或いは転送することが可能である。別の低電流の実施形態では、読み取りは、移動体機器３の利用者によって始動され、利用者は、特定の商品１に関する保護されるべき権利の表示３０を読み出したい場合に、対応するアプリケーションを立ち上げるか、或いはコマンドを入力する。場合によっては、商品１を使用することを可能とするために、その工程が必要であるようにすることができ、一つの実施形態では、表示１０を提示する前には、商品１を使用できないようにしておき、コマンドによりリモートサーバーからコードを読み出した後にのみ使用可能とすることができる。
【００２６】
移動体機器３又はその他の機器を用いたＲＦＩＤ部品１０の読み取りは、近い範囲内ではインタフェース（例えば、ブルートゥースまたはＷＬＡＮ）を介して、移動体無線網４を介して、或いはアクセスしているＷＥＢ又はＷＡＰページ上のリンクを介して、外部機器（例えば、販売ポイント又は自動販売機）によって始動することもできる。
【００２７】
読み取ったコードを処理するために、移動体機器３及び／又はリーダー部分にアプリケーションの一部として、簡単なフィルター及び処理手段を配備することができる。このアプリケーションは、例えば、コードの一定の部分だけを処理して転送することができる。それらしくない、或いはエラーを含むコードを削除するために、冗長性検査を配備することもできる。以前使用されていたコードは、好ましくは、将来における制御、静的な評価及びバックアップのために、移動体機器３のデータベースに保存される。
【００２８】
このアプリケーションでは、コードを読み取るか、或いは転送する前に、パスワード又はその他の認証を要求することもできる。パスワードは、例えば、価値保存カードの隠れた部分に印刷することができ、それを剥がすか、或いは別のチャネルを介して、移動体利用者に送ることができる。
【００２９】
移動体機器３のアプリケーションは、コードを更に処理して、所望の保護されるべき権利の表示３０を再生する前に、利用者の確認を要求することができる。この確認は、例えば、移動体機器のキーボード、ＰＤＡ、その他の入力手段又は音声コマンドにより入力することができる。
【００３０】
パスワードが正しく、確認が受信された場合に、読み出されたコードは、アプケーションによって、メッセージ（例えば、ショートメッセージ、好ましくは、ＧＰＲＳ又はＵＭＴＳパケット）に纏められて、移動体無線網４を介して、周知のアドレスのサーバー５、好ましくは、移動体無線網４のインフラストラクチャー内のサーバーに送信される。このメッセージは、任意選択により、移動体機器３又はＳＩＭカードによって、タイムスタンプを押されるか、或いは調整される。
【００３１】
サーバー５は、移動体機器３の幾つかの、或いは場合によってはすべてのＲＦＩＤリーダー２から受信する、コードの入ったメッセージを管理する。異なるエリアからのコードを異なった形で扱うか、或いは全く扱わないようにするために、その他のより複雑なフィルターをサーバー５に配備することができる。
【００３２】
サーバー５は、利用者の識別子を検証することもできる。このことは、サーバー５が、移動体無線網４の運用業者によって管理されている場合、なお一層信頼性を増すことととなる。この場合、移動体利用者の識別子は、確実には、ＳＩＭカード内のＩＭＳＩ（国際移動電話加入者識別番号）にもとづき求めることができる。このようにして、利用者に応じて保護されるべき権利の表示３０を、例えば、利用者のプロフィル及び好みに依存しｓて表示を再生することができる。
【００３３】
サーバー５は、インターネット又はイントラネットを介して各コードに対応した電子的なページの電子的なアドレスを保存しているネームサービスサーバー６と接続される。
【００３４】
サーバー５は、受信した、コードの入った問合せ５０をネームサービスサーバー６に転送して、ネームサービスサーバーは、対応する電子的なアドレスを回答する（応答６０）。電子的なアドレスは、例えば、ＴＣＰ−ＩＰ網に関するＵＲＬ又はその他のアドレスで構成される。
【００３５】
ネームサービスサーバー６は、サーバー５の運用業者及び／又は外部の団体（例えば、コードを異なる会社に配布する機関）によって管理することができる。所望のアドレスが、サーバー６内で見つからなかった場合に別のネームサービスサーバーを検索するために、複数のネームサービスサーバーを相互に接続することができる。このことにより、例えば、移動体無線網の運用業者が、別の機関のコードを処理することも可能となる。
【００３６】
従って、移動体機器３の利用者は、すべての商品製造業者のすべてのコードを、同じ目標とするサーバー５に常に直接送信して、そのサーバーが、ネームサービスサーバー６又はネームサービスサーバー６の網から、所望の保護されるべき権利の表示をダウンロードするためのベースとなるページアドレスを求めるようにすることができる。
【００３７】
ネームサービスサーバー６内におけるコードとアドレス間の関連付けは、好ましくは、所望のサービスの提供業者によって、（例えば、専用のＷＥＢフォームにより）何時でも修正することができる。このことにより、最終利用者に通知することなく、ページ又はドメインの電子的なアドレスを変更することができる。
【００３８】
従って、保護されるべき権利の表示を載せているページのアドレスは、ＲＦＩＤ部品１０内に保存されている６４又は９６ビットのコードにもとづき、一つだけ一義的に見い出すことができ、そのため、アクセスするページは、サーバー５のアドレス又は電話番号から完全に独立したものとなる。多くの商品１にマーキングしなければならず、そしてセキュリティの理由から、すべてのコードを使用することができないので、コードには、自由に使える十分なビットを持たせなければならず、そして非常に多くの可能性の有る組み合わせが、既に割り当てられているので、例えば、単純なＩＰ番号では、恐らく不十分である。好ましくは、その他の独立したページアドレス指定方式も使用される。
【００３９】
サーバー５は、ネームサービスサーバー６から所望のページアドレスの入った応答６０を受信して、サーバー７、或いは複数のローカル又はリモートサーバーを持つ網内の対応するページにアクセスする（問合せ５１と応答７０）。
【００４０】
一つの実施形態では、所望のページのアドレスは、ネームサービスサーバー６によって指定されたアドレスをコードの中の一つ以上のビットと組み合わせることによって得られる。この場合、ネームサービスサーバー６のアドレスは、一つのエリアに対応し、そのエリア内の個々のページは、コードの一定の部分に対応する。このことは、ネームサービスサーバー６をより容易に構成することができるという利点を有する。
【００４１】
サーバー５によってアクセスされる、サーバー７内のページは、場合によっては、マークアップ言語のハイパーテキストコンテンツを含む。一つの実施形態では、このページは、ＸＭＬ（拡張マークアップ言語）コンテンツで構成される。別の実施形態では、ページは、ＰＭＬ（物体情報マークアップ言語）コンテンツを含む。所望の保護されるべき権利の表示３０を求めることを可能とするページは、サーバー５及び最終的には移動体機器３が、サーバー７のサービス及びオブジェクトにアクセスすることができるためのＳＯＡＰ（シンプルオブジェクトアクセスプロトコル）、．ＮＥＴフレームワーク又はその他のＷＥＢサービスをサポートすることもできる。
【００４２】
サーバー５は、サーバー７から所望のページ又はページの一部をダウンロードして、それを更に移動体機器３に伝送する。後述する通り、サーバー７上のページは、例えば、保護されるべき権利の表示３０を音又は画像でも再生するために、マルチメディアコンテンツを含むこともできる。保護されるべき権利の表示を、リンクで互いに関連付けることができる複数のページに分散させて、利用者が、リンク又はメニューのオプションをクリック又は選択することによって、保護されるべき権利の表示に関するより多くの情報をダウンロードすることができるようにすることも可能である。
【００４３】
保護されるべき権利の表示を、移動体機器３の利用者の識別子、その契約タイプ、その位置、時間、アクセスしている網、そのプロフィルなどを含む、移動体無線網４及び／又は移動体機器３内で求めたパラメータに依存させることができる。求めたコンテンツの言語を、移動体利用者の位置及び／又はその事前に保存しておいたプロフィルに依存させることができる。
【００４４】
所望の保護されるべき権利の表示は、逆方向のチャネルを介して、例えば、メッセージ（ＳＭＳ、ＭＭＳ、ＵＳＳＤ又は電子メール）或いはＷＥＢ又はＷＥＰページとして、移動体機器３及び／又はＳＩＭカードに伝送することができる。一つの実施形態では、その表示を、音で、例えば、移動体機器３の音声スピーカー又はヘッドフォンによって再生する。この場合、音声ファイルをサーバー７内に保存しておくか、或いは音声シンセサイザーによって生成することができる。
【００４５】
利用者の複数の問合せとそれに対応した応答から成る一つのセッションにおいて、参照を利用者と送受信することもできる。一つの実施形態では、保護されるべき権利の表示が既に利用者に送信させているという宣言がサーバー５又は７に保存されており、それを後で検証することも可能である。この宣言は、電子的に署名するとともに、タイムスタンプを付与することができる。
【００４６】
以下の保護されるべき権利の表示が、サーバー７内のページに保存されており、移動体機器３に伝送される。
・商品１の技術的特徴に関する一つ以上の特許、特許出願又は実用新案に関する少なくとも一つの参照及び／又は、
・商品１を表す一つ以上の商標に関する少なくとも一つの参照及び／又は、
・商品１の美的特徴と関連した一つ以上の意匠の各装飾的意匠に関する少なくとも一つの参照及び／又は、
・一つ以上の保護された半導体回路配置に関する少なくとも一つの参照及び／又は、
・著作権保護に関する少なくとも一つの参照及び／又は、
・商品製造業者の一般取引条件。
【００４７】
図２から分かる通り、保護されるべき権利の表示は、商品１が保護されるべきものであると推定させる、商品１と関連した複数の保護されるべき権利のリスト、例えば、特許番号、商標番号等のリストを含むことができる。保護されるべき権利の表示３０のリストから特定の保護されるべき権利を選択することによって、その特定の保護されるべき権利に関するより多くの情報を表示することができる。特許又は意匠に関して、リスト内の特許又は意匠番号を選択することによって、例えば、完全な文書を画像フォーマット、例えばｔｉｆ又はｐｄｆ形式でダウンロードすることができる。視覚的な商標に関しては、例えば、商標の画像を表示することができる。
【００４８】
サーバー７内において、参照が保護されるべき権利の要旨、書誌データ又は保護されるべき権利の法的状況を保存しておき、利用者が、その情報を直接又は関連する保護されるべき権利を選択することによって、それらを受信するようにすることも可能である。
【００４９】
一つの実施形態では、サーバー７内のページは、保護されるべき権利のデータベース７１から動的に生成されるコンテンツを含む。そのような保護されるべき権利のＷｅｂデータベースは、既に知られており、様々な会社及び機関によって、特に、ｗｗｗ．ｐｒｏｐｉｓ．ｃｏｍ、ｗｗｗ．ｅｓｐａｃｅｎｅｔ．ｃｏｍ又はｗｗｗ．ｄｅｐａｔｉｓｎｅｔ．ｄｐｍａ．ｄｅのアドレスで提供されている。この発明では、商品１と関連した保護されるべき権利又は保護されるべき権利のリストを載せたページへの直接的なアクセスが、商品１のＲＦＩＤ部品１０内のコードにもとづき保証されており、その結果利用者は、ＲＦＩＤ部品１０を読み取ることによって、例えば、Ｅｓｐａｃｅｎｅｔ内の相応の特許又は相応の特許のリストを含むページに直接到達するものである。
【００５０】
一つの実施形態では、衛星位置測定モジュールにもとづき、或いは電気通信網内において、例えば、移動体無線網４の識別子又は複数の基地局間の三角測量により、移動体機器３の位置を求める。この位置情報は、保護されるべき権利の表示のリストを利用者が居る国にも及ぶように調整するために、移動体機器３又はサーバー５と７の中の一方で利用することができる。従って、利用者の位置に依存して、参照の言語又はその国の法的状況を調整することも可能である。
【００５１】
利用者のプロフィルは、サーバー５又は７内に、或いは例えばクッキーとして移動体機器３内に保存しておくことが可能であり、そのプロフィルに保護されるべき権利の表示を適合させるものである。このことにより、例えば、参照の言語を利用者個人毎に適合させることが可能となる。
【００５２】
好ましい実施形態では、各ＲＦＩＤ部品１０は、異なるコードを保有しており、それによって各商品１を個々に指定するものである。従って、同じモデルの複数の同じ商品は、異なるコード（例えば、異なるシリアル番号）を有する。このことにより、例えば、個々の適合を考慮するために、或いは個々の商品に関して取得した、或いは取得予定のライセンスに関連した保護されるべき権利の表示を考慮することによって、保護されるべき権利の表示を各個々の商品に適合させることができる。この場合、利用者に応じた個々の保護されるべき権利の表示を、例えば、「この商品は、あなたが居るＸＹ国内で特許ＥＰＸＹＺ１２３４５により保護されています。利用者ＸＹの個人的な使用に対して、排他的ユーザーライセンスが２００４年４月１５日に取得されています。」と表示することができる。一つの実施形態では、好ましくは、移動体機器３により直接ライセンス料を支払うこともできる場合、サーバー７上のページは、ライセンスを取得して、その他の使用目的に拡張又は適合させる手段を提供する。好ましくはライセンス条件を利用者、位置及び商品１に依存させることができる。
【００５３】
一つの実施形態では、商品１は、保護されたコンテンツを持つデータ担体、例えば、保護されるべき権利（例えば、著作権）によって保護され、ライセンスを取得することができる音楽、文章、画像、フィルム、ゲーム、ソフトウェアアプリケーション及び／又はその他の著作物を保存している磁気及び／又は光学式データ担体で構成される。当該のデータ担体を搭載した機器又はその他の別個の機器によって、保護されるべき権利の表示を求めて、表示することができる。ライセンスの発行は、場合によっては、例えば、利用者がＲＦＩＤ部品１０から有効なコードを生成するか、或いは利用者が識別されるという一定の条件を前提とすることができる。
【００５４】
一つの実施形態では、関連する保護されるべき権利の表示が移動体機器３に伝送されていない場合及び／又は相応のライセンスが取得されていない場合には、商品１の使用が停止される。サーバー５，７との交信後に、サーバー７内及び／又は商品１の記憶エリア内のデータ（例えば、使用停止フラグ）を修正することによって、商品１の使用停止が解除される。一つの実施形態では、ライセンス状態の変化が起こった後、ＲＦＩＤリーダー機器２によって、ＲＦＩＤ部品１０内のデータも書き換えられる。このことにより、サーバー７と接続すること無く、商品１のライセンス状態を確認することが可能となる。
【００５５】
図２は、移動体機器３のＲＦＩＤリーダー機器２によって、保護されるべき権利の表示を読み出して、リモートサーバーから参照をダウンロードすること無く、その後直ぐに表示する別の実施形態を図示している。この場合、すべての表示は、ＲＦＩＤ部品１０から直接読み出される。
【図面の簡単な説明】
【００５６】
【図１】移動体機器、ＲＦＩＤリーダー機器、ＲＦＩＤ部品、ネームサービスサーバー及びページサーバーを備えたシステムのブロック図
【図２】移動体機器、ＲＦＩＤリーダー機器及びＲＦＩＤ部品を備えたシステムのブロック図
【符号の説明】
【００５７】
１    商品
１０    ＲＦＩＤ部品
２    ＲＦＩＤリーダー機器
３    移動体機器
３０    保護されるべき権利の表示
４    移動体無線網
５    サーバー
５０    問合せ
５１    問合せ
６    ネームサービスサーバー
６０    応答
７    サーバー
７０    応答
７１    保護されるべき権利のデータベース
【図１】
2007535051.tif 000004
【図２】
2007535051.tif 000005
【国際調査報告】
2007535051.tif 000006
2007535051.tif 000007
2007535051.tif 000008
2007535051.tif 000009
2007535051.tif 000010
2007535051.tif 000011